【手続補正書】
【提出日】平成25年3月28日(2013.3.28)
【手続補正１】
【補正対象書類名】特許請求の範囲
【補正対象項目名】全文
【補正方法】変更
【補正の内容】
【特許請求の範囲】
【請求項１】
インプラント用の送達システムであって、
遠位端および近位端を有する細長い部材であって、該細長い部材の該遠位端は、該インプラントを保持するように動作可能である、細長い部材と、
該細長い部材および該インプラントに接続可能であるテザー部材と、
該細長い部材上に配置された加熱部材と
を備え、
該加熱部材は、中空通路を有し、該テザー部材の少なくとも一部分は、該中空通路に存在し、該テザー部材は、該加熱部材の該中空通路の中に存在する唯一のアイテムである、
送達システム。
【請求項２】
前記加熱部材は、第１の直径を有する第１の領域と、第２の直径を有する第２の領域とを備える、請求項１に記載の送達システム。
【請求項３】
前記第２の領域は、前記テザー部材のより近くに位置付けられる、請求項２に記載の送達システム。
【請求項４】
前記テザーは、約０．００４インチの外径を有し、前記第１の直径は、約０．００７インチであり、前記第２の直径は、約０．００５インチである、請求項３に記載の送達システム。
【請求項５】
前記加熱部材は、前記細長い部材の側面に沿って固定された電気作動型加熱コイルである、請求項１に記載の送達システム。
【請求項６】
前記インプラントは、複数のセルを有するステントであり、前記テザー部材は、該複数のセルのうちの少なくとも１つを通して位置付けられる、請求項１に記載の送達システム。
【請求項７】
前記テザー部材は、前記複数のセルのうちの多数のセルを通過する、請求項６に記載の送達システム。
【請求項８】
前記テザー部材は、圧縮された構成で前記ステントを維持する、請求項７に記載の送達システム。
【請求項９】
インプラント用の送達システムであって、
細長い形状を有する押込器部材と、
該インプラントに接続可能である該押込器部材の遠位端と、
該押込器部材を該インプラントに接続するテザーと、
該テザーの上に載置された加熱要素と
を備え、
該加熱要素は、該テザーの外径と実質的に同じである内径を有し、該加熱要素は、該テザーの断絶を引き起こす温度上昇を生成するように制御可能である、
送達システム。
【請求項１０】
前記加熱要素は、管状の形状を有する、請求項９に記載の送達システム。
【請求項１１】
前記加熱要素は、第１の直径を有する第１の領域と、第２の直径を有する第２の領域とを有する、請求項１０に記載の送達システム。
【請求項１２】
前記第２の領域は、前記第１の領域よりも前記テザーの近くに位置付けられる、請求項１１に記載の送達システム。
【請求項１３】
前記テザーは、約０．００４インチの外径を有し、前記第１の直径は、約０．００７インチであり、前記第２の直径は、約０．００５インチである、請求項１２に記載の送達システム。
【請求項１４】
前記テザーは、少なくとも３本のテザーストランドを備え、該少なくとも３つのテザーストランドのそれぞれは、前記インプラントに固定される、請求項９に記載の送達システム。
【請求項１５】
前記インプラントは、複数のセルを有するステントであり、前記テザーは、該複数のセルのうちの少なくともいくつかを通して位置付けられる、請求項９に記載の送達システム。
【請求項１６】
前記テザーは、圧縮された構成で前記ステントを維持する、請求項１５に記載の送達システム。
【請求項１７】
患者の脈管系に挿入するためのサイズを有する細長い部材と、
該細長い部材上に配置されたヒータであって、該ヒータは、内部通路を有し、該内部通路は、第１の直径を有する第１の領域と第２の直径を有する第２の領域とを備えている、ヒータと、
該ヒータの該内部通路を通して位置付けられた可撓性テザー部材と
を備え、
該可撓性テザーは、該インプラントに接続可能であり、該細長い部材に対して該インプラントを保持する、
インプラント送達システム。
【請求項１８】
前記ヒータの前記内部通路は、前記テザーのみを取り囲むようなサイズを有する、請求項１７に記載のインプラント送達システム。
【請求項１９】
前記テザーは、約０．００４インチの外径を有し、前記第１の直径は、約０．００７インチであり、前記第２の直径は、約０．００５インチである、請求項１７に記載のインプラント送達システム。
【請求項２０】
前記ヒータの外面は、前記細長い部材に固定されている、請求項１７に記載のインプラント送達システム。
【請求項２１】
インプラント用の送達システムであって、
患者の脈管系に挿入するためのサイズを有する細長い部材と、
該細長い部材上に配置されたヒータであって、該ヒータは、内部通路を有し、該内部通路は、第１の直径を有する第１の領域と第２の直径を有する第２の領域とを備えている、ヒータと、
該ヒータの該内部通路を通して位置付けられた複数のテザー部材と
を備え、
該複数のテザー部材は、該インプラントに接続可能であり、該細長い部材に対して該インプラントを保持する、
送達システム。
【請求項２２】
前記複数のテザー部材は、前記インプラントの複数の異なる場所に接続可能である、請求項２１に記載の送達システム。
【請求項２３】
インプラントを解放するためのシステムであって、
脈管系に挿入するためのサイズを有する送達デバイスと、
該送達デバイスの遠位端付近で起動させられるように構成されたヒータと
を備え、
該インプラントは、テザーを用いて、該送達デバイスの遠位端において該送達デバイスに接続されており、
該テザーは、該テザーの円周領域を該ヒータの内部通路と接触させることによって加熱されるように構成されている
システム。
【請求項２４】
前記テザーは、前記ヒータの第１の直径を有する第１の領域と、該ヒータの第２の直径を有する第２の領域とを加熱することによって加熱されるようにさらに構成されている、請求項２３に記載のシステム。
【請求項２５】
前記テザーの円周領域が、前記ヒータの前記第１の領域のみと接触している、請求項２４に記載のシステム。
【手続補正２】
【補正対象書類名】明細書
【補正対象項目名】０００８
【補正方法】変更
【補正の内容】
【０００８】
本発明は、例えば、以下を提供する：
（項目１）
インプラント用の送達システムであって、
遠位端および近位端を有する細長い部材であって、該細長い部材の該遠位端は、該インプラントを保持するように動作可能である、細長い部材と、
該細長い部材および該インプラントに接続可能であるテザー部材と、
該細長い部材上に配置された加熱部材と
を備え、
該加熱部材は、中空通路を有し、該テザー部材の少なくとも一部分は、該中空通路に存在し、該テザー部材は、該加熱部材の該中空通路の中に存在する唯一のアイテムである、
送達システム。
（項目２）
前記加熱部材は、第１の直径を有する第１の領域と、第２の直径を有する第２の領域とを備える、項目１に記載の送達システム。
（項目３）
前記第２の領域は、前記テザー部材のより近くに位置付けられる、項目２に記載の送達システム。
（項目４）
前記テザーは、約０．００４インチの外径を有し、前記第１の直径は、約０．００７インチであり、前記第２の直径は、約０．００５インチである、項目３に記載の送達システム。
（項目５）
前記加熱部材は、前記細長い部材の側面に沿って固定された電気作動型加熱コイルである、項目１に記載の送達システム。
（項目６）
前記インプラントは、複数のセルを有するステントであり、前記テザー部材は、該複数のセルのうちの少なくとも１つを通して位置付けられる、項目１に記載の送達システム。
（項目７）
前記テザー部材は、前記複数のセルのうちの多数のセルを通過する、項目６に記載の送達システム。
（項目８）
前記テザー部材は、圧縮された構成で前記ステントを維持する、項目７に記載の送達システム。
（項目９）
インプラント用の送達システムであって、
細長い形状を有する押込器部材と、
該インプラントに接続可能である該押込器部材の遠位端と、
該押込器部材を該インプラントに接続するテザーと、
該テザーの上に載置された加熱要素と
を備え、
該加熱要素は、該テザーの外径と実質的に同じである内径を有し、該加熱要素は、該テザーの断絶を引き起こす温度上昇を生成するように制御可能である、
送達システム。
（項目１０）
前記加熱要素は、管状の形状を有する、項目９に記載の送達システム。
（項目１１）
前記加熱要素は、第１の直径を有する第１の領域と、第２の直径を有する第２の領域とを有する、項目１０に記載の送達システム。
（項目１２）
前記第２の領域は、前記第１の領域よりも前記テザーの近くに位置付けられる、項目１１に記載の送達システム。
（項目１３）
前記テザーは、約０．００４インチの外径を有し、前記第１の直径は、約０．００７インチであり、前記第２の直径は、約０．００５インチである、項目１２に記載の送達システム。
（項目１４）
前記テザーは、少なくとも３本のテザーストランドを備え、該少なくとも３つのテザーストランドのそれぞれは、前記インプラントに固定される、項目９に記載の送達システム。
（項目１５）
前記インプラントは、複数のセルを有するステントであり、前記テザーは、該複数のセルのうちの少なくともいくつかを通して位置付けられる、項目９に記載の送達システム。
（項目１６）
前記テザーは、圧縮された構成で前記ステントを維持する、項目１５に記載の送達システム。
（項目１７）
患者の脈管系に挿入するためのサイズを有する細長い部材と、
該細長い部材上に配置されたヒータであって、該ヒータは、内部通路を有し、該内部通路は、第１の直径を有する第１の領域と第２の直径を有する第２の領域とを備えている、ヒータと、
該ヒータの該内部通路を通して位置付けられた可撓性テザー部材と
を備え、
該可撓性テザーは、該インプラントに接続可能であり、該細長い部材に対して該インプラントを保持する、
インプラント送達システム。
（項目１８）
前記ヒータの前記内部通路は、前記テザーのみを取り囲むようなサイズを有する、項目１７に記載のインプラント送達システム。
（項目１９）
前記テザーは、約０．００４インチの外径を有し、前記第１の直径は、約０．００７インチであり、前記第２の直径は、約０．００５インチである、項目１７に記載のインプラント送達システム。
（項目２０）
前記ヒータの外面は、前記細長い部材に固定されている、項目１７に記載のインプラント送達システム。
（項目２１）
インプラント用の送達システムであって、
患者の脈管系に挿入するためのサイズを有する細長い部材と、
該細長い部材上に配置されたヒータであって、該ヒータは、内部通路を有し、該内部通路は、第１の直径を有する第１の領域と第２の直径を有する第２の領域とを備えている、ヒータと、
該ヒータの該内部通路を通して位置付けられた複数のテザー部材と
を備え、
該複数のテザー部材は、該インプラントに接続可能であり、該細長い部材に対して該インプラントを保持する、
送達システム。
（項目２２）
前記複数のテザー部材は、前記インプラントの複数の異なる場所に接続可能である、項目２１に記載の送達システム。
（項目２３）
インプラントを解放する方法であって、
脈管系に挿入するためのサイズを有する送達デバイスを提供することと、
該送達デバイスの遠位端付近でヒータを起動することであって、該インプラントは、テザーを用いて、該送達デバイスの遠位端において該送達デバイスに接続されている、ことと、
該テザーの円周領域を該ヒータの内部通路と接触させることによって、該テザーを加熱することと
を含む、方法。
（項目２４）
前記テザーを加熱することは、前記ヒータの第１の直径を有する第１の領域と、該ヒータの第２の直径を有する第２の領域とを加熱することをさらに含む、項目２３に記載の方法。
（項目２５）
前記テザーの円周領域を、前記ヒータの前記第１の領域のみと接触させることをさらに含む、項目２４に記載の方法。
本発明は、血管、卵管、瘻孔および動脈瘤等の奇形、心臓欠損（例えば、左心耳および萼片開口）、および他の管腔臓器を含むが、それらに限定されない、体腔内のコイル、ステント、フィルタ、および同等物等、埋込型デバイスを位置付け、配備するために使用される、インプラント送達および分離システムである。